(57)【特許請求の範囲】
【請求項１】
ガイド部材の一方面と第１の相手部材の一方面により第１の用紙搬送路が形成され、前記ガイド部材の他方面と第２の相手部材の一方面により第２の用紙搬送路が形成された用紙搬送装置であって、
前記第２の相手部材は、前記第２の用紙搬送路を形成する閉位置と、この第２の用紙搬送路を露出させる開位置との間を回動可能に支持され、
前記ガイド部材は、前記第１の用紙搬送路を形成する閉位置と、この第１の用紙搬送路を露出させる開位置との間を回動可能に支持され、
前記ガイド部材を閉位置に保つ保持手段を有し、この保持手段により前記第２の相手部材を開位置にしたときに前記ガイド部材の閉位置が保たれるものであることを特徴とする用紙搬送装置。
【請求項２】
前記保持手段は、前記ガイド部材をその開位置側から閉位置側に付勢するものである請求項１に記載の用紙搬送装置。
【請求項３】
前記保持手段は、磁石の吸着力により前記ガイド部材を閉位置に保持するものである請求項１に記載の用紙搬送装置。
【請求項４】
前記ガイド部材は、閉位置にあるときに前記第１の用紙搬送路の少なくとも一部を視認可能な透明部或いは開口部を有するものである請求項１〜３のいずれかに記載の用紙搬送装置。
【請求項５】
ガイド部材の一方面と第１の相手部材の一方面により第１の用紙搬送路が形成され、前記ガイド部材の他方面と側面扉の内面により第２の用紙搬送路が形成された用紙搬送装置であって、
前記ガイド部材は、前記第１の用紙搬送路を形成する閉位置と、この第１の用紙搬送路を露出させる開位置との間を回動可能に支持され、
前記側面扉は、前記第２の用紙搬送路を形成する閉位置と、この第２の用紙搬送路を露出させる開位置との間を回動可能に支持され、且つこの回動動作の中心軸が前記ガイド部材の回動動作中心軸と直交するものであり、
前記ガイド部材の回動中心にその軸方向にスライド可能なガイド部材用回転軸と、
このガイド部材用回転軸のスライド動作に連動して前記ガイド部材を開位置と閉位置との間で回動させる連動手段とを備え、
更に前記側面扉が、自身の回動動作に伴って前記ガイド部材用回転軸を押圧してその回転軸方向にスライドさせる押圧部を有するものであることを特徴とする用紙搬送装置。
【請求項６】
前記連動手段は、
前記ガイド部材用回転軸の一方端に設けられた螺旋部と、
このガイド部材用回転軸をその回転軸方向のいずれか一方側に付勢する付勢手段と、
前記螺旋部の螺旋上に案内される案内部とにより構成され、
前記ガイド部材用回転軸の回転軸方向へのスライドに連動して前記案内部に対して前記螺旋部がその螺旋に従って摺動し、前記ガイド部材を回動させるものである請求項５に記載の用紙搬送装置。
【請求項７】
前記付勢手段の付勢によって前記ガイド部材の閉位置が保持されるものである請求項６に記載の用紙搬送装置。
【請求項８】
前記ガイド部材は、その閉位置と開位置の形成する角度が２０°以上である請求項１〜７のいずれかに記載の用紙搬送装置。
【発明の詳細な説明】
【０００１】
【発明の属する技術分野】
本発明は、複写機，ファクシミリ，プリンタ，スキャナー等に備えられ、記録紙や原稿等を搬送する用紙搬送装置に関するものである。
【０００２】
【従来の技術】
用紙搬送装置としては、複数の用紙搬送路が併走して配置される場合があり、例えば複写機等では近年複数段の給紙トレイを有するものが一般的であり、この場合に複数の用紙搬送路が併走した用紙搬送装置となっている。
【０００３】
図９はこの様な複数段の給紙トレイを有する複写機を示す斜視図であり、側面扉を開放した状態を表している。また図１０はこの複写機の用紙搬送部を説明する為の拡大断面図であり、（ａ）は側面扉を閉じた状態で、（ｂ）は側面扉を開けた状態を表している。
【０００４】
上記複写機は給紙トレイ１１１（１１１ａ，１１１ｂ，１１１ｃ，１１１ｄ）を４つ有しており、これらの給紙トレイ１１１のうち、任意の給紙トレイ１１１から用紙１１５が掬い上げられ、この用紙が用紙搬送部を介して画像形成部に供給され、該用紙表面に画像が形成，定着された後、排出される構成となっている。
【０００５】
上記用紙搬送部は、各給紙トレイ１１１からの用紙１１５を、複写機上方に位置した画像形成部に搬送する役割を果たし、それぞれの給紙トレイ１１１からの用紙搬送路が合流する様にして下から上に搬送される。具体的には図１０に示す様に、例えば最上段の給紙トレイ１１１ａから掬い上げられた用紙１１５が通る第１の用紙搬送路２１１と、これより下段の給紙トレイ１１１ｂ，１１１ｃ，１１１ｄから掬い上げられた用紙１１５が通る第２の用紙搬送路２１２の２つが形成されており、これら第１の用紙搬送路と第２の用紙搬送路が合流して上方に向かう。最上段給紙トレイ１１１ａより下側の給紙トレイ１１１についても同様に、給紙トレイ個別の搬送路（第１の用紙搬送路２１１）と下方から来る搬送路（第２の用紙搬送路２１２）の２つがあり、これらが合流する様になっている。
【０００６】
上記第１の用紙搬送路２１１と第２の用紙搬送路２１２を分けるガイド部材２２０、即ち第１の用紙搬送路２１１と第２の用紙搬送路２１２の合流箇所に設けられたガイド部材２２０は、側面扉２３０を開けたときに（矢印Ａ）、上記第１の用紙搬送路２１１内を露出するように開放され（矢印Ｂ）、第１の用紙搬送路２１１内に詰まったり取り残されたりした用紙を取り除くことができる様になっている。尚第２の用紙搬送路２１２は側面扉２３０を開けることによって露出するから、このときに詰まった紙等を取り除くと良い。尚以下、この様に詰まった用紙等を取り除く操作をジャム処理と称することがある。
【０００７】
上記ガイド部材２２０の開位置（第１の用紙搬送路２１１内を露出する位置）と閉位置（所定の第１の用紙搬送路２１１を形成する位置）の変更は、側面扉２３０と連動しており、側面扉２３０を閉じるとガイド部材２２０の先端が押されるようにして閉位置に回動し（図１０（ａ））、側面扉２３０を開けると、側面扉２３０の押圧が解かれるので、ガイド部材２２０が開位置に倒れる（図１０（ｂ））。
【０００８】
図９，１０に示した上記複写機は、側面扉２３０が上下方向を中心軸として旋回して開閉されるものであるが（以下、横開放扉型複写機と称することがある）、扉開閉の中心軸が水平方向の場合（以下、上下開放扉型複写機と称することがある）も同様に、第１の用紙搬送路２１１と第２の用紙搬送路２１２を分けるガイド部材２２０が側面扉２３０に連動しており、ガイド部材２２０の先端が側面扉２３０の内壁に押されてガイド部材２２０の開閉が行われる。図１１はこの上下開放扉型複写機を示す断面図であり、側面扉２３０を開けた様子を表している。
【０００９】
【発明が解決しようとする課題】
ところで上記第１の用紙搬送路２１１に詰まった用紙等を取り除くには、ガイド部材２２０のサイズが比較的大きく、またガイド部材２２０が大きく開いて（開度を大きく取り）第１の用紙搬送路２１１内が十分に露出された方が、作業する手が入り易いので好ましい。しかしながら上記従来の複写機等では、図１２［側面扉２３０の開閉によるガイド部材２２０の開閉動作を説明する為の斜視図］に示す様に、側面扉２３０を閉鎖するときにガイド部材２２０を押してガイド部材を閉位置とするものであるから、ガイド部材２２０と側面扉２３０内面との当接箇所（矢印Ｃで指し示す箇所）がこじることとなり、特に上記の様にガイド部材２２０の開度を大きく取った場合には当接箇所（矢印Ｃ）に非常に無理がかかり、この当接部分に傷が付いたり、また欠ける等の弊害を生じる。
【００１０】
また上下開放扉型複写機の場合でも、上記横開放扉型複写機よりは多少上記当接箇所の負荷が少ないものの、やはりガイド部材２２０の開度を大きく取るとガイド部材をこじるようになる。
【００１１】
従って従来ではジャム処理の操作性を犠牲にして、ガイド部材２２０の開度を小さくせざるを得なかった。
【００１２】
本発明は以上の問題に鑑みてなされたものであり、ガイド部材の開度を大きく取ることのできる用紙搬送装置を提供することを目的とする。
【００１３】
【課題を解決するための手段】
本発明に係る用紙搬送装置は、ガイド部材の一方面と第１の相手部材の一方面により第１の用紙搬送路が形成され、前記ガイド部材の他方面と第２の相手部材の一方面により第２の用紙搬送路が形成された用紙搬送装置であって、前記第２の相手部材が、前記第２の用紙搬送路を形成する閉位置と、この第２の用紙搬送路を露出させる開位置との間を回動可能に支持され、前記ガイド部材が、前記第１の用紙搬送路を形成する閉位置と、この第１の用紙搬送路を露出させる開位置との間を回動可能に支持され、前記ガイド部材を閉位置に保つ保持手段を有し、この保持手段により前記第２の相手部材を開位置にしたときに前記ガイド部材の閉位置が保たれるものであることを要旨とする。
【００１４】
本発明では第２の相手部材を開位置とすることにより第２の用紙搬送路を露出させてジャム処理を行い、そしてガイド部材を開位置とすることにより第１の用紙搬送路を露出させてジャム処理を行うものであるが、上記の様にガイド部材は第２の相手部材の開閉動作とは独立しており、上記保持手段によってガイド部材が閉位置を保つから、上記従来の様にこじることがない。またこの様に開閉が独立しているから、ガイド部材の開度に制限がなく、例えば９０°以上の角度に開く様にすることも可能である。この様に開度を大きく取ることにより、ジャム処理の操作性が向上する。
【００１５】
更に本発明において、前記保持手段が前記ガイド部材をその開位置側から閉位置側に付勢するものであることが好ましい。
【００１６】
仮に閉位置側に付勢されていないものの場合では、ガイド部材を閉じ忘れ、開位置のまま第２の相手部材（例えば側面扉）を閉めてしまうと、第２の相手部材でガイド部材をこじてしまう恐れがある。しかし上記の様に閉位置側に付勢されたものであれば、第１の用紙搬送路のジャム処理を行う為には作業者が手でガイド部材を開ける必要があるものの、手を離せば自動的にガイド部材が閉じることになるから、こじることを確実に防止できる。従ってこじる懸念なくガイド部材の開度を大きく取った構成とすることができる。
【００１７】
上記閉位置側への付勢手段として具体的には、弾性部材（ゴムやバネ等）や重りが挙げられる。またガイド部材が開位置のときに磁石の同極が接触する構成とし、その反発力により開位置から閉位置に付勢する様にしたものであっても良い。
【００１８】
また本発明において、前記保持手段が、磁石の吸着力により前記ガイド部材を閉位置に保持するものであることが好ましい。
【００１９】
この様に磁石を用いた構成であれば、用紙搬送装置を簡単な構造とすることができる。この構成として具体的には、ガイド部材が閉位置のときに、磁石が対向する鋼板に接触する構成や、磁石の逆極同士が接触する構成とし、この磁石の引きつけ力によって閉位置を保持する様にすると良い。
【００２０】
加えて本発明において、前記ガイド部材は、閉位置にあるときに前記第１の用紙搬送路の少なくとも一部を視認可能な透明部或いは開口部を有するものであることが好ましい。
【００２１】
上記第２の相手部材を開位置としたときにも、ガイド部材は閉位置を保っているから第１の用紙搬送路は隠れた状態であり、用紙が詰まっているか否か容易に分かり難いが、上記の様にガイド部材の少なくとも一部が透明部等であれば、第１の用紙搬送路を見ることができ、用紙が詰まっているか否か分かり易い。尚上記ガイド部材の一部に限らず、全体を透明の材料で構成しても良く、より広い範囲が透明であれば視認性が向上する。また開口部を有するガイド部材としては、１つの開口部を備えたものに限らず、複数の開口部を有するもの、或いは無数の開口部を有するものであっても良く、具体的には孔付きの板やメッシュ板等が挙げられる。
【００２２】
また本発明に係る用紙搬送装置は、ガイド部材の一方面と第１の相手部材の一方面により第１の用紙搬送路が形成され、前記ガイド部材の他方面と側面扉の内面により第２の用紙搬送路が形成された用紙搬送装置であって、前記ガイド部材が、前記第１の用紙搬送路を形成する閉位置と、この第１の用紙搬送路を露出させる開位置との間を回動可能に支持され、前記側面扉が、前記第２の用紙搬送路を形成する閉位置と、この第２の用紙搬送路を露出させる開位置との間を回動可能に支持され、且つこの回動動作の中心軸が前記ガイド部材の回動動作中心軸と直交するものであり、前記ガイド部材の回動中心にその軸方向にスライド可能なガイド部材用回転軸と、このガイド部材用回転軸のスライド動作に連動して前記ガイド部材を開位置と閉位置との間で回動させる連動手段とを備え、更に前記側面扉が、自身の回動動作に伴って前記ガイド部材用回転軸を押圧してその回転軸方向にスライドさせる押圧部を有するものであることを要旨とする。
【００２３】
このガイド部材は側面扉の開閉に連動して、側面扉が開いたときガイド部材が開位置となるものであるが、このガイド部材の開閉は、上記押圧部の動作に伴って前記ガイド部材用回転軸をその軸方向にスライドさせ、このスライド動作に連動して前記ガイド部材を回動させるものであるから、従来の様に側面扉がガイド部材を閉位置側に押して閉じるというものでなく、従ってガイド部材の開度を大きく取ることができ、ジャム処理操作がし易い。
【００２４】
尚前記ガイド部材用回転軸と前記ガイド部材は一体の部材であっても良いし、或いは別々の部材であっても良い。
【００２５】
更に本発明においては、前記連動手段が、前記ガイド部材用回転軸の一方端に設けられた螺旋部と、このガイド部材用回転軸をその回転軸方向のいずれか一方側に付勢する付勢手段と、前記螺旋部の螺旋上に案内される案内部とにより構成され、前記ガイド部材用回転軸の回転軸方向へのスライドに連動して前記案内部に対して前記螺旋部がその螺旋に従って摺動し、前記ガイド部材を回動させるものであることが好ましい。
【００２６】
この場合のガイド部材の開閉は、上記押圧部が上記ガイド部材用回転軸をその回転軸方向に押して（或いは引いて）スライドさせ、これに伴って上記案内部に上記螺旋部の螺旋部分が摺動してガイド部材を開閉するものである。
【００２７】
尚前記螺旋部としては、例えば螺旋状凸条或いは螺旋状溝が回転軸一方端部分に形成されたものが挙げられる。
【００２８】
更にこの本発明においては、前記付勢手段の付勢によって前記ガイド部材の閉位置が保持されるものであることが好ましい。
【００２９】
複写機等は側面扉が閉じているときが通常状態であるから、側面扉が閉位置のときに、上記付勢手段（例えば弾性部材）に負荷がかかっていない状態であることが好ましいからである。
【００３０】
また本発明においては、前記ガイド部材の閉位置と開位置の形成する角度が２０°以上であることが好ましい。即ちガイド部材の開度θが２０°以上であることが好ましく、この様にガイド部材を大きく開けることができるから、ジャム処理の際の操作性が向上する。より好ましくは上記角度（開度θ）が４０°以上である。
【００３１】
【発明の実施の形態】
＜実施形態１＞
先ず本発明の実施形態１に係る用紙搬送装置を備えた複写機の全体について説明する。
【００３２】
図１は該複写機の一例を示す全体断面図である。尚図９，１０と同じ構成部分については同一の符号を付して重複説明を避ける。
【００３３】
この複写機は、複写機本体の下部に配設された給紙部１００と、この給紙部１００の側方及び上方に配設された用紙搬送部（用紙搬送装置）２００と、この用紙搬送部２００の上方に配設された画像形成部３００と、この画像形成部３００よりも排出側に配設された定着部４００と、これらの画像形成部３００および定着部４００の上方に配設された光学系部材などからなる画像読取部５００を備えている。
【００３４】
給紙部１００は、４つの給紙トレイ１１１のうちの選択された給紙トレイ１１１から、円弧外周部を有する給紙ローラ１１２の回転動作によって給紙トレイ１１１の出口側（図１の右側）に転写用紙１１５を送り出すとともに、給紙トレイ１１１の幅方向両端上部にそれぞれ設けられたさばき部１１６によってさばくことにより、最上位置の転写用紙１１５を１枚ずつ確実に用紙搬送部２００に給紙するようになっている。
【００３５】
用紙搬送部２００は、給紙部１００から給紙された用紙１１５を、搬送ローラ対２０２およびレジストローラ対２０３によって画像形成部３００に向けて搬送し、さらに画像形成部３００から定着部４００において画像形成がなされた転写用紙１１５を排出ローラ対２０５によって排出トレイ２０４上に排出するようになっている。
【００３６】
画像形成部３００は、電子写真プロセスによって、用紙１１５に所定のトナー像を形成するものであり、回転可能に軸支された光導電性を有する感光体ドラム３０１と、この感光体ドラム３０１の周囲にその回転方向に沿って、帯電ユニット３０２、露光ユニット３０３、現像ユニット３０４、転写ユニット３０５、クリーナー３０６および除電ユニット３０７を備えている。
【００３７】
帯電ユニット３０２は、高電圧が印加される帯電ワイヤを備え、この帯電ワイヤからのコロナ放電によって感光体ドラム３０１の表面に所定電位を与えるものである。露光ユニット３０３は、後述する画像読取部５００によって読み取られた原稿の画像データに基づいてレーザ発光器から出力されるレーザ光を、ポリゴンミラーおよび反射鏡を介して感光体ドラム３０１に照射することにより、感光体ドラム３０１表面の電位を選択的に減衰させて、この感光体ドラム３０１の表面に静電潜像を形成するものである。現像ユニット３０４は、上記静電潜像をトナーにより現像して、感光体ドラム３０１の表面にトナー像を形成するものである。転写ユニット３０５は、感光体ドラム３０１の表面のトナー像を転写用紙１１５に転写するものである。この複写機においては、転写ユニット３０５は、感光体ドラム３０１から所定距離だけ離間した転写ローラによって構成されている。クリーナー３０６は、転写後の感光体ドラム３０１の表面に残留しているトナーを除去するものである。除電ユニット３０７は、感光体ドラム３０１の表面の残留電荷を除去するものである。
【００３８】
定着部４００は、この画像形成部３００の用紙搬送方向の下流側に配置され、画像形成部３００においてトナー像が転写された用紙１１５を、加熱ローラ４０１およびこの加熱ローラ４０１に押し付けられる加圧ローラ４０２によって挟んで加熱し、用紙１１５上にトナー像を定着させるものである。
【００３９】
画像読取部５００は、コンタクトガラス５０１上に載置された原稿に、露光ランプから光を照射し、その反射光を反射鏡を介してＣＣＤラインセンサ等からなる光電変換部に導くことにより、原稿の画像情報を読み取るものである。なお、露光ランプおよび反射鏡は走査動作部を形成しており、この走査動作部が、所定の速度で図１の左右方向に移動領域５０８を移動動作することにより、コンタクトガラス５０１上に載置された原稿の全面を走査し、原稿全面の画像を読み取ることができる様になっている。
【００４０】
次に上記用紙搬送部（用紙搬送装置）２００について説明する。
【００４１】
図２，３は本発明の実施形態１に係る用紙搬送部２００付近を示す断面図であり、図２は側面扉２３０を閉じた状態を表し、図３は側面扉２３０を開放した状態を表す。また図４は用紙搬送部２００に設けられたガイド部材付近の要部断面図である。尚図９，１０と同じ構成部分については同一の符号を付して重複説明を避ける。
【００４２】
上記ガイド部材１０は透明の合成樹脂製であり、このガイド部材１０の内側面（一方面）とこれと対向する第１の相手部材１１の表側面（一方面）との間には第１の用紙搬送路２１１が形成され、ガイド部材１０の外側面（他方面）とこれと対向する側面扉（第２の相手部材）２３０の内側面１２との間には第２の用紙搬送路２１２が形成されている。尚ガイド部材１０が閉位置で側面扉２３０が閉じられた状態のときに、ガイド部材１０が所定の幅の第１の用紙搬送路２１１と第２の用紙搬送路２１２を形成するように、複写機本体のフレームに対して位置決めされてガイド部材１０が取付けられている。
【００４３】
図４に示す様に、ガイド部材１０の回転軸１０ａに沿ってバネ１５が円弧状に取付けられており、このバネ１５の一方端部分１５ａはガイド部材１０根元付近の外側面に当接し、バネ１５の他方端部分１５ｂはバネ支持部材１６に当接して、ガイド部材１０を閉位置側に付勢している。尚このバネ１５とバネ支持部材１６が上記保持手段に相当する。
【００４４】
以下に本実施形態１における第１，２の用紙搬送路について行うジャム処理操作に関して説明する。
【００４５】
まず矢印Ａ方向に側面扉２３０を開けて第２の用紙搬送路２１２を露出させ（開位置）、この第２の用紙搬送路２１２のジャム処理を行う（図３）。このときガイド部材１０は図３，４に実線で示す様に閉位置を保っている。そしてガイド部材１０は透明であるから、これを通して第１の用紙搬送路２１１を見ることができ、用紙が詰まっているか否かが分かる。
【００４６】
次にガイド部材１０を矢印Ｂ方向に作業者が手で開けて第１の用紙搬送路２１１を露出させ（開位置（図３，４に２点鎖線で示す）、例えば開度θ＝６０°）、この第１の用紙搬送路２１１のジャム処理を行う。ガイド部材１０が開位置のとき、図４に２点鎖線で示す様に上記バネ１５は撓み、手を離すと、バネ１５の復元力によりガイド部材１０が閉位置に戻る。尚図４に示す例では第１の用紙搬送路２１１に対してガイド部材の回転軸１０ａが下方に位置するから、わずか２０〜３０°の開度でも第１の用紙搬送路２１１が十分に露出し、ジャム処理を行うことが可能であるが、開度が４０°以上であれば第１の用紙搬送路２１１がより大きく露出してジャム処理をより容易に行うことができる。
【００４７】
なおバネ１５の付勢力により常にガイド部材１０は閉位置側に押されているが、ガイド部材の回転軸１０ａに回転規制部材（図示せず）が設けられており、所定の閉位置を保つ。尚ガイド部材１０の根元部分の内側面をガイド対向部材１７に当接させて、閉位置を保つようにしても良い。
【００４８】
この様にガイド部材１０は側面扉２３０の開閉動作とは連動しておらず、ガイド部材１０が側面扉２３０内面に当接してこじるということがないから、ガイド部材１０を損傷しない。また従来の様に側面扉２３０内面でガイド部材１０を押して閉めるというものではないから、ガイド部材１０の開度θも大きく取ることができ、例えば９０°以上（図４に示す例では最大１８０°まで）に開くことも可能である。殊にガイド部材の第１の用紙搬送路形成面がその回転軸近くまで至っている場合（例えば回転軸１０ａが第１の用紙搬送路２１１の近傍に位置しているもの）等の様に、ガイド部材の開度が小さいと第１の用紙搬送路２１１を十分に露出させ難いときには、ガイド部材１０の開度を大きくとることは、ジャム処理の操作性を向上させる上で極めて有効である。
【００４９】
またガイド部材１０はバネ１５により自動的に閉まって閉位置となるから、ガイド部材１０を開位置のまま側面扉２３０を閉じてしまうということがない。
【００５０】
＜実施形態２＞
図５は本発明の実施形態２に係る用紙搬送部２００に設けられたガイド部材付近の要部断面図である。尚この実施形態２における他の構成は上記実施形態１と同様である。
【００５１】
本実施形態２のガイド部材２０には重り２５が取付けられており、このガイド部材２０は重力の作用によって閉位置に保持されている。尚上記重り２５が上記保持手段に相当する。
【００５２】
第１の用紙搬送路２１１を露出させるには、ガイド部材２０を手で開けて（矢印Ｂ）開位置にする（２点鎖線で示すガイド部材２０、例えば開度θ＝６０°）。このとき重り２５は矢印Ｄ方向に持ち上げられる。第１の用紙搬送路２１１のジャム処理の後、ガイド部材２０から手を離すと、重り２５が重力によって下がり（矢印Ｅ）、これに伴ってガイド部材２０が閉位置となる（実線で示すガイド部材２０）。本実施形態２においても上記実施形態１と同様に、開度２０°以上であればジャム処理をすることができるが、開度４０℃以上であればより容易にジャム処理することができる。また重り２５の取付位置によっては１８０°近くまでガイド部材２０を開放することが可能である。
【００５３】
本実施形態２においても上記実施形態１と同様に、ガイド部材２０が側面扉２３０内面に当接してこじるということがなく、ガイド部材２０の開度θを大きく取ることができる。またガイド部材２０は自動的に閉まり、開けたまま側面扉２３０を閉じてしまうことがない。
【００５４】
＜実施形態３＞
図６の（ａ）は本発明の実施形態３に係る用紙搬送部２００に設けられたガイド部材付近の要部断面図であり、（ｂ）はこのガイド部材の斜視図である。尚この実施形態３において他の構成は上記実施形態１と同様である。
【００５５】
本実施形態３のガイド部材３０には磁石３５が取付けられており、鋼製のガイド対向部材１７に対し磁石３５がその磁力によって吸い付けられ、ガイド部材３０が閉位置を保持する。
【００５６】
第１の用紙搬送路２１１を露出させるには、ガイド部材３０を手で開けて（矢印Ｂ）開位置にする（２点鎖線で示すガイド部材３０）。そして第１の用紙搬送路２１１のジャム処理の後、ガイド部材３０を閉じて磁石３５をガイド対向部材１７に付ける（閉位置）。
【００５７】
本実施形態３においても上記実施形態１と同様に、ガイド部材３０が側面扉２３０内面に当接してこじるということがなく、ガイド部材３０の開度θを大きく取ることができる。
【００５８】
＜実施形態４＞
図７は本発明の実施形態４に係る用紙搬送部２００に設けられたガイド部材付近の要部断面図である。尚この実施形態４における他の構成は上記実施形態１と同様である。
【００５９】
本実施形態４のガイド部材４０の延長部４１にはＳ極の磁石４５が取付けられており、一方ガイド部材４０が開位置のときに上記磁石４５と当接する位置に、同じくＳ極の相手側磁石４６が設けられている。尚図中、４７は相手側磁石４６の取付台であり、複写機本体のフレームに固定されている。
【００６０】
ガイド部材４０を開位置にすると（矢印Ｂ）、磁石４５と相手側磁石４６が近づく或いは接触するようになる（２点差線で示す）（矢印Ｄ）。これら磁石４５と相手側磁石４６はＳ極同士であるからお互い反発し合うが、ガイド部材４０を手で支えて開位置にしつつ、第１の用紙搬送路のジャム処理を行う。そして支える手を離すと上記磁石４５と相手側磁石４６の反発力により（矢印Ｆ）、ガイド部材４０が閉位置となる。
【００６１】
本実施形態４においても上記実施形態１と同様に、ガイド部材４０が側面扉２３０内面に当接してこじるということがなく、ガイド部材４０の開度θを大きく取ることができる。またガイド部材４０は自動的に閉まり、開けたまま側面扉２３０を閉じてしまうことがない。
【００６２】
＜実施形態５＞
図８は本発明の実施形態５に係る用紙搬送部２００に設けられたガイド部材及びその付属部材を示す図である。
【００６３】
図８の（ａ）はガイド部材５０を上側から見た図で、側面扉２３０と共に表されている。また（ｂ）はガイド部材５０を側方から見た図、（ｃ）はガイド部材５０を側面扉側から見た図である。
【００６４】
ガイド部材５０はガイド部材用回転軸と一体となったものであり、この回転軸の一方端部分は、螺旋凸条５１ａを有する螺旋部５１となっている。また回転軸の他方端部分には、コイルバネ（付勢手段）５２が設けられている。このコイルバネ５２は回転軸他方端の支え部５３に支えられて上記螺旋部５１側、即ち矢印Ｈ方向に付勢している。
【００６５】
また図８の（ｄ）［螺旋部５１が挿通された案内部材５４を、矢印Ｇ方向から見た矢視図］に示す様に、上記螺旋部５１は板状の案内部材５４に開けられた孔部（案内部）５５に挿通されており、そして孔部５５の窪み５５ａに上記螺旋部５１の螺旋凸条５１ａが合わされている。尚上記案内部材５４は複写機本体のフレームに固定されている。
【００６６】
この様にガイド部材用回転軸と一体となったガイド部材が、フレームに固定された案内部材５４に対し、螺旋部分を介して取付けられている。
【００６７】
上記側面扉２３０の回転軸側には扇部材５６が設けられており、またこの扇部材５６の周縁には押圧部５６ａが盛り上がって形成されている。図８の（ｅ）［ガイド部材の回転軸先端５１ｂと扇部材５６の関係を説明する為の図］に示す様にこの扇部材５６に設けられた押圧部５６ａがガイド部材５０の回転軸の先端５１ｂを矢印Ｉ方向（回転軸の他方端側方向）に押せるようになっている。尚上記側面扉２３０はその回動動作の中心軸がガイド部材の回動動作中心軸と直交するものであり、即ち複写機側面を横開きに開ける扉である。
【００６８】
次に動作について説明する。
【００６９】
側面扉２３０を開放すると（矢印Ａ）上記扇部材５６も同時に回転し（矢印Ｊ）、この回転動作に伴って扇部材５６の押圧部５６ａがガイド部材５０の回転軸先端５１ｂを矢印Ｉ方向に押す（図８（ａ），（ｅ））。この様にしてガイド部材５０が矢印Ｉ方向に押されると、案内部材５４の孔部５５内を螺旋部５１が移動することになるが、このとき螺旋部５１の螺旋凸条５１ａが窪み５５ａに沿って移動するから、ガイド部材５０の回転軸が矢印Ｋ方向に回転することになる（図８（ａ），（ｄ））。その結果ガイド部材５０は矢印Ｂ方向に回転し、開位置となる。尚側面扉２３０を９０°に開いた状態で、上記ガイド部材５０の開度θは例えば６０°となる。
【００７０】
一方側面扉２３０を閉じると、扇部材５６の押圧部５６ａによるガイド部材５０回転軸への押圧が解かれ、するとコイルバネ５２の復元力によってガイド部材５０が矢印Ｉの逆方向（矢印Ｈ方向）に移動する。そして上述とは逆に螺旋部５１の螺旋凸条５１ａが窪み５５ａに沿って移動し、ガイド部材５０の回転軸を矢印Ｋの逆方向に回転させ、ガイド部材５０を閉位置にする。
【００７１】
この様に実施形態５は、側面扉２３０の開閉に連動してガイド部材５０の開閉が行われるが、ガイド部材５０は側面扉２３０の内壁に当接するものではないから、傷や欠けを生じることがない。またガイド部材の開度θを大きく取ることが可能である。尚ガイド部材の開閉角度は一般に９０°以内であるので螺旋部５１の螺旋凸条５１ａのねじりが少なくても済むことから、上記螺旋凸条５１ａを緩やかな螺旋とし（即ちストロークの長い螺旋とし）、小さな力でガイド部材５０が回る様にしたものがより好ましい。
【００７２】
以上の様に本発明に係る用紙搬送装置に関して、例を示す図面を参照しつつ具体的に説明したが、本発明はもとより上記例に限定される訳ではなく、前記の趣旨に適合し得る範囲で適当に変更を加えて実施することも可能であり、それらはいずれも本発明の技術的範囲に包含される。
【００７３】
例えば上記実施形態２ではガイド部材２０に重りをつけたものを示したが、ガイド部材自身の重さバランスを調整して、閉位置を保つようにしても良い。
【００７４】
また上記実施形態ではガイド部材を透明の合成樹脂で構成したものを示したが、これに限らず、第１の用紙搬送路を覗くことのできる開口部を有するガイド部材としても良い。この開口部は１つに限らず２以上でも良く、またメッシュ製のガイド部材としても良い。
【００７５】
加えて上記実施形態５では、ガイド部材５０に取付けられたコイルバネ５２が負荷を受けていない状態を閉位置となるようにしたが、負荷を受けていない状態を開位置とする構成であっても良い。
【００７６】
また上記付勢手段としては実施形態５の様なコイルバネに限らず、ゴム等の他の弾性部材を用いても良い。
【００７７】
更に上記実施形態５では、ガイド部材とガイド部材用回転軸が一体となっているものを示したが、これらが別々の部材で構成されたものでも良い。別々の部材で構成する場合として、例えばガイド部材の回動中心部分の孔にガイド部材用回転軸が摺動可能に取付けられた構成とし、このガイド部材用回転軸の表面に螺旋を切り、一方上記ガイド部材の上記孔内壁にこの螺旋に適合する螺旋部を設け、ガイド部材用回転軸が軸方向にスライドするのに従って上記螺旋同士が摺動し、これによりガイド部材の開閉が行われる構成としても良い。この様にガイド部材とガイド部材用回転軸を螺旋部分を介して取付ける構成においては、ガイド部材をその回動軸方向に移動しない構成とすることができ、好ましい。
【００７８】
また上記実施形態では複写機の垂直方向の用紙搬送路に本発明を適用する場合を示したが、これに限るものではなく、ガイド部材に対してその内側面（一方面）と外側面（他方面）の両方に用紙搬送路を有するという箇所であればいずれの箇所においても適用できる。例えば画像読み取り装置（例えば両面原稿を反転させる部分）や画像形成装置（例えば両面画像形成の目的で用紙を反転する部分）にも適用できる。また画像形成装置外に設置される外部給紙装置（例えば画像形成装置の下に設置される多段給紙装置）においても適用できる。
【００７９】
【発明の効果】
本発明に係る用紙搬送装置においては、内外面の両方に用紙搬送路を形成するガイド部材を、大きく開けることが可能であり、従ってジャム処理の操作性向上を図ることができる。
【図面の簡単な説明】
【図１】本発明の実施形態１に係る用紙搬送装置を備えた複写機の一例を示す全体断面図。
【図２】本発明の実施形態１に係る用紙搬送部（用紙搬送装置）付近を示す断面図（側面扉を閉じた状態）。
【図３】本発明の実施形態１に係る用紙搬送部（用紙搬送装置）を示す断面図（側面扉を開けた状態）。
【図４】本発明の実施形態１の用紙搬送部に設けられたガイド部材付近の要部断面図。
【図５】本発明の実施形態２に係る用紙搬送装置に設けられたガイド部材付近の要部断面図。
【図６】（ａ）は本発明の実施形態３に係る用紙搬送装置に設けられたガイド部材付近の要部断面図、（ｂ）はこのガイド部材の斜視図。
【図７】本発明の実施形態４に係る用紙搬送装置に設けられたガイド部材付近の要部断面図。
【図８】本発明の実施形態５に係る用紙搬送装置に設けられたガイド部材及びその付属部材を示す図。
【図９】複数段の給紙トレイを有する複写機を示す斜視図。
【図１０】図９に示す複写機の用紙搬送部を説明する為の拡大断面図。
【図１１】上下開放扉型複写機を示す断面図。
【図１２】従来の側面扉の開閉によるガイド部材の開閉動作を説明する為の斜視図。
【符号の説明】
１０，２０，３０，４０，５０  ガイド部材
１１  第１の相手部材
１２  側面扉内側面
１５  バネ
１５ａ  バネ一方端部分
１５ｂ  バネ他方端部分
１６  バネ支持部材
２５  重り
３５  磁石
４５  磁石（Ｓ極）
４６  相手側磁（Ｓ極）
５１  螺旋部
５１ａ  螺旋凸条
５２  コイルバネ
５４  案内部材
５５  孔部
５５ａ  窪み
５６  扇部材
５６ａ  押圧部
１１１  給紙トレイ
２０２  搬送ローラ対
２１１  第１の用紙搬送路
２１２  第２の用紙搬送路
２３０  側面扉（第２の相手部材）
【図１】
0003546024.tif 000002
【図２】
0003546024.tif 000003
【図３】
0003546024.tif 000004
【図４】
0003546024.tif 000005
【図５】
0003546024.tif 000006
【図６】
0003546024.tif 000007
【図７】
0003546024.tif 000008
【図８】
0003546024.tif 000009
【図９】
0003546024.tif 000010
【図１０】
0003546024.tif 000011
【図１１】
0003546024.tif 000012
【図１２】
0003546024.tif 000013